(57)【特許請求の範囲】
【請求項１】
地上アナログ放送波を受信する地上アナログ放送受信部と、前記地上アナログ放送波の帯域と略同帯域の地上ディジタル放送波を受信する地上ディジタル放送受信部と、地上アナログ放送波の受信状態から地上ディジタル放送波の受信への切り替え時に前記地上アナログ放送受信部の局部発振周波数を、地上ディジタル放送波の受信に干渉を与えない周波数に変更する一方、地上ディジタル放送波の受信状態から地上アナログ放送波の受信への切り替え時には前記地上ディジタル放送受信部の局部発振周波数を変更しないように制御する制御手段と、を備えたことを特徴とする放送受信装置。
【請求項２】
請求項１に記載の放送受信装置において、地上アナログ放送波の受信状態から地上ディジタル放送波の受信への切り替え時に、地上アナログ放送波を受信する放送受信部の局部発振周波数を、地上ディジタル放送の最上位チャンネルよりも高い周波数に変更するように構成したことを特徴とする放送受信装置。
【請求項３】
請求項１に記載の放送受信装置において、地上アナログ放送波の受信状態から地上ディジタル放送波の受信への切り替え時に、地上アナログ放送波を受信する放送受信部の局部発振周波数を、その最上位チャンネルが選択されるように制御することを特徴とする放送受信装置。
【発明の詳細な説明】
【０００１】
この発明は、ディジタル放送及びアナログ放送の両方を受信することができる放送受信装置に関する。
【０００２】
【従来の技術】
地上ディジタル放送波を受信する放送受信装置は、地上波用アンテナを通して受け取った複数の放送波のなかから任意の放送波をディジタルチューナによって選択し、この選択した放送波に含まれる複数のチャンネル（サービス）のなかから任意のチャンネル（トランスポートストリーム）をデマルチプレクス処理によって選択し、この選択したチャンネルのディジタル信号を取り出し、これをデコードすることによって映像・音声信号を出力する。そして、このようなディジタルテレビ放送を受信するディジタルチューナと共に、従来からのアナログ放送を受信するアナログチューナも備えたディジタル・アナログ対応の放送受信装置を構成することができる。
【０００３】
【発明が解決しようとする課題】
しかしながら、ディジタル放送波とアナログ放送波の周波数帯域が略同じであると、一方のチューナ側で発生している局部発振周波数が他方の放送波の受信しようとする周波数に近似することが生じるなど、チューナ間での干渉によって受信障害が生じることがある。
【０００４】
この発明は、上記の事情に鑑み、チューナ間での干渉を受け難くすることができる放送受信装置を提供することを目的とする。
【０００５】
【課題を解決するための手段】
この発明の放送受信装置は、上記の課題を解決するために、アナログ放送波を受信するアナログ放送受信部と、ディジタル放送波を受信するディジタル放送受信部と、一方の放送波の受信状態から他方の放送波の受信への切り替え時に前記一方の放送波を受信する放送受信部の局部発振周波数を干渉が生じない周波数に変更する制御手段と、を備えたことを特徴とする。
【０００６】
特に、アナログ放送波の受信状態からディジタル放送波の受信への切り替え時に、アナログ放送波を受信する放送受信部の局部発振周波数を、ディジタル放送の最上位チャンネルよりも高い周波数に変更するように構成するのがよい。或いは、アナログ放送波の受信状態からディジタル放送波の受信への切り替え時に、アナログ放送波を受信する放送受信部の局部発振周波数を、その最上位チャンネルが選択されるように制御するのがよい。
【０００７】
【発明の実施の形態】
以下、この発明の実施形態を図１及び図２に基づいて説明する。図１は地上波ディジタル放送及び地上波アナログ放送の両方を視聴できるこの実施形態の放送受信装置３０を示したブロック図であり、図２はアナログ放送／ディジタル放送受信切り替え時の処理内容を示したフローチャートである。
【０００８】
図１において、アンテナ１は、屋外において所定の方向に向けて配置されており、地上波放送局から送られてくる地上放送波を受信する。
【０００９】
ディジタルチューナ（この実施形態では、ＡＴＳＣ（Advanced TV System Committee）用とし、空中波（ＡＩＲ：２〜６９ＣＨ）を受信する）２は、映像・音声データを含む高周波ディジタル変調信号のうちから特定周波数の信号を取り出す。なお、中間周波数ＩＦは４４．０ＭＨｚとし、局部発振周波数は１０１〜８４７ＭＨｚとしている。また、ディジタルチューナ２は、逆インタリーブ回路、誤り訂正回路などを備えることにより、選択したディジタル変調信号を復調してトランスポートストリームを出力する。
【００１０】
デマルチプレクサ（ＤＥＭＵＸ）３は、前記トランスポートストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）に分離復号する。デマルチプレクサ３は、ビデオストリームとオーディオストリームをＡＶデコーダ４に供給し、ＰＳＩ／ＳＩに含まれるサービス情報（番組名、番組詳細、番組開始時刻、番組継続時間等）をＣＰＵ１３に供給する。なお、前述のごとく、トランスポートストリームには複数のチャンネル（サービス）が多重化されており、この中から任意のチャンネルを選択するための処理は、ＰＳＩ／ＳＩから任意のチャンネルがトランスポートストリーム中でどのパケットＩＤで多重化されているかといったデータを取り出すことで可能となる。また、トランスポートストリームの選定もＰＳＩ／ＳＩの情報に基づいて行うことができる。
【００１１】
ＡＶデコーダ４は、ビデオストリームのデコードを行うビデオデコーダ、及びオーディオストリームのデコードを行うオーディオデコーダを備える。ビデオデコーダは、入力された可変長符号を復号して量子化係数や動きベクトルを求め、逆ＤＣＴ変換や動きベクトルに基づく動き補償制御等を行う。オーディオデコーダは、入力された符号化信号を復号して音声データを生成する。デコードにより生成された映像データはセレクタ１９を経て映像処理回路５に出力され、音声データは音声処理回路６に出力される。
【００１２】
映像処理回路５は映像データを受け取り、Ｄ／Ａ変換を行って映像信号（コンポジット信号、Ｙ／Ｃ信号、コンポーネント信号等）を生成し、この映像信号を映像出力回路７に与える。音声処理回路６はＡＶデコーダ４から出力された音声データを受け取り、Ｄ／Ａ変換を行い、アナログ音声信号を生成する。
【００１３】
セレクタ１９は、ＡＶデコーダ４から出力されたディジタル放送に基づく映像データ又はＮＴＳＣデコーダ１８から出力されたアナログ放送に基づく映像データのいずれかを選択して映像処理回路５に与える。一方、セレクタ２５はアナログ信号用であり、音声信号処理回路６から出力されたアナログ音声信号又はアナログチューナ１７から出力されたアナログ音声信号のいずれかを選択して音声出力回路８に与える。
【００１４】
映像出力回路７及び音声出力回路８は出力抵抗や増幅器等を備えて成る。ＡＶ出力端子９には出力部（左右音声出力端子および映像出力端子のセット）が設けられている。ＡＶ出力端子９に接続されるモニター２４は、ブラウン管２１を駆動する偏向回路２２や高圧回路２３を備えた受像部、およびスピーカ２０等を備えている。
【００１５】
アナログチューナ（この実施形態では、ＮＴＳＣ用とし、空中波（ＡＩＲ：２〜６９ＣＨ）、ケーブル（ＣＡＢＬＥ：１〜１２５ＣＨ）を受信する）１７は、ユーザーが選択したチャンネルに対応する周波数の信号を選択する選局処理、及び選択した周波数の信号を復調する処理等を行ってアナログ映像信号及びアナログ音声信号を生成する。ここで、中間周波数ＩＦは４５．７５ＭＨｚとし、局部発振周波数は１０１〜８４７ＭＨｚとしている。
【００１６】
映像Ａ／Ｄ処理部（ＮＴＳＣデコーダ）１８は、Ａ／Ｄ変換回路等を備えて成り、アナログチューナ１７から受け取ったアナログ映像信号をディジタル化し、前記ＡＶデコーダ４が出力する映像データと同形式の映像データを生成して前記セレクタ１９に供給する。
【００１７】
ＯＳＤ（オンスクリーンディスプレイ）回路１２は、メインＣＰＵ１３から出力指示された文字情報に基づくビットマップデータを加算器１６に出力する。加算器１６は前記ビットマップデータをセレクタ１９から出力された映像データに組み込む処理を行う。ＯＳＤ回路１２により、メインＣＰＵ１３が受け取ったサービス情報に基づくＥＰＧ（Ｅｌｅｃｔｒｏｎｉｃ  Ｐｒｏｇｒａｍ  Ｇｕｉｄｅ）画面表示が実現される他、メニュー画面や操作ガイド画面などの表示も行えることになる。
【００１８】
メインＣＰＵ１３は、ディジタルチューナ２に対する選局指令や有局チャンネルサーチ等の制御、メモリ（ＥＥＰＲＯＭ）１４への有局チャンネル情報やＯＳＤ表示用データの書込／読出の制御、デマルチプレクサ３に対する制御、ＡＶデコーダ４に対する制御、ＯＳＤ回路１２に対する制御、セレクタ１９・２５に対する切換指令、後述するサブＣＰＵ１５との間での通信などを行うようになっている。
【００１９】
リモコン送信機１０は、当該放送受信装置３０に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換してサブＣＰＵ１５に与える。
【００２０】
サブＣＰＵ１５は、上記リモコン送信機１０によるリモートコントロール信号や図示しない操作部のキー操作による信号を入力してメインＣＰＵ１３に通知する処理や、アナログチューナ１７に対する制御を行う。
【００２１】
そして、サブＣＰＵ１５は、リモコン信号によってディジタル放送チャンネルの選局指令を受けたとき、この選局指令をメインＣＰＵ１３に通知すると共に、アナログチューナ１７に対してＣＡＢＬＥ（ＣＡＴＶ）の１２５ＣＨを選択するよう指令を与える（同調電圧を与える）。かかる処理により、放送受信装置３０においてディジタルチューナ２によるディジタル放送受信・映像表示状態となり、アナログチューナ１７においては、その局部発振周波数がＣＡＴＶ最上位の１２５ＣＨを選択するための周波数に変更設定されることになる。この一連の処理を図２のフローチャートに示す。まず、ディジタル放送チャンネルを選択したか否かが判断され（ステップＳ１）、ＮＯであれば、アナログ放送チャンネルを選択したか否かが判断され（ステップＳ２）、この場合においてもＮＯであればリターンする。一方、ＹＥＳであればアナログチューナ１７による選局処理を実行する（ステップＳ３）。そして、ステップＳ１においてＹＥＳと判断されたときは、ディジタルチューナ２による選局処理を実行し（ステップＳ４）、アナログチューナ１７ではＣＡＴＶ最上位の１２５ＣＨに切り替える（ステップＳ６）。
なお、ディジタル放送チャンネルに切り替える前のアナログ放送チャンネルをメモリに記憶しておき、ディジタル放送受信状態からアナログ放送受信に切り替えるときに元のアナログ放送チャンネルに復帰することとする。
【００２２】
ＣＡＴＶ最上位１２５ＣＨの放送周波数は例えば７９９．２５ＭＨｚであり、局部発振周波数は８４５．００ＭＨｚとなる。ディジタル放送の最上位６９ＣＨの放送周波数が仮に略５００ＭＨｚであるとすると、アナログチューナ１７における局部発振周波数８４５．００ＭＨｚの影響は受けないことになる。ディジタル放送の下位側チャンネルの受信においても同様である。このように、アナログチューナ１７のチャンネル切り替え処理は、ディジタル放送の最上位チャンネルよりも高い周波数側へと行なわれるから、アナログチューナ１７の局部発振周波数の２倍或いは３倍高調波を考えてみても、ディジタル放送受信には影響はないことになる。
【００２３】
上記の例では、ディジタル放送受信時のアナログチューナ１７におけるチャンネル切り替えをＣＡＴＶ最上位１２５ＣＨとする例を示したが、これに限るものではなく、ＣＡＴＶ１２４ＣＨのごとく設定したり、或いは、ＣＡＴＶ最上位１２５ＣＨよりも高い周波数を設定したりしてもよく、要はアナログチューナ１７のチャンネル切り替え処理をディジタル放送の最上位チャンネルよりも高い周波数側へと行なうようにすればよい。
【００２４】
また、ディジタル放送受信時のアナログチューナ１７におけるチャンネル切り替えを行なうことにおいては、ディジタル放送の選択チャンネルに合わせてこれと干渉しないアナログ放送のチャンネルを適宜選択する（アナログチューナの局部発振周波数がディジタル放送の周波数範囲である場合を含む）こととしてもよいが、特定のチャンネル（例えば、ＣＡＴＶ最上位１２５ＣＨ）を設定しておくのが望ましく、これによれば、アナログチューナ１７側ではディジタル放送受信時に一律に特定チャンネルを選択する制御を行なえばよいことになり、制御プログラムが簡単になる。
【００２５】
また、以上の例では、ディジタル放送チャンネルに切り替える際にアナログ放送チャンネルをＣＡＴＶ最上位１２５ＣＨ等に切り替えることを示したが、その逆にアナログ放送チャンネルに切り替える際にディジタル放送チャンネルを干渉が生じないチャンネルに切り替えてもよいものである。ただし、アナログ放送の受信状態からディジタル放送受信に戻る場合において、元のディジタル放送チャンネルを受信するのに局部発振周波数を更めて設定して映像デコード等を行なうことになり、その分、映像の画面表示が遅れることになるから、ディジタルチューナ２側では干渉回避のためのチャンネル変更処理は行なわないとする構成を採るのが望ましい。
【００２６】
【発明の効果】
以上説明したように、この発明によれば、アナログチューナとディジタルチューナを備える放送受信装置において、チューナ間での干渉を受け難くして受信障害を回避できるという効果を奏する。
【図面の簡単な説明】
【図１】この発明の実施形態の放送受信装置を示すブロック図である。
【図２】受信状態切り替え時の動作内容を示したフローチャートである。
【符号の説明】
１    アンテナ
２    ディジタルチューナ
３    デマルチプレクサ
４    ＡＶデコーダ
１２  ＯＳＤ回路
１３  メインＣＰＵ
１５  サブＣＰＵ
１６  加算器
１７  アナログチューナ
１８  映像Ａ／Ｄ処理部
１９  セレクタ
２５  セレクタ
【図１】
0003702239.tif 000002
【図２】
0003702239.tif 000003